(57)【要約】【課題】記録媒体の動画データについて、ブックマーク画像とともに該ブックマーク画像における特徴画像を管理するというように、記録媒体に記録されたデータをより詳細に管理することを可能とするデータ管理方法、データ表示方法、記録再生装置、および記録媒体を提供する。【解決手段】記録媒体に記録されたブックマークデータの記録位置に関するブックマークデータを、記録媒体に記録するとともに、ブックマークデータに含まれる特徴画像データに関する特徴情報を、記録媒体に記録する。【選択図】　図１
2004127369.tif 000002
【特許請求の範囲】
【請求項１】
記録媒体に記録された第１部分データの記録位置に関する第１管理情報を、該記録媒体に記録するための方法であって、
上記第１部分データに含まれる第２部分データに関する第２管理情報を、上記記録媒体に記録することを特徴とするデータ管理方法。
【請求項２】
上記第２管理情報は、上記第１部分データに基づき表示される画像に対する、上記第２部分データに基づき表示される画像の座標を示す座標情報であることを特徴とする請求項１に記載のデータ管理方法。
【請求項３】
上記第２管理情報は、上記第１部分データに基づき表示される画像に、上記第２部分データに基づき表示される画像を含むような矩形を設定するための矩形情報であることを特徴とする請求項１に記載のデータ管理方法。
【請求項４】
上記第２管理情報は、上記第１部分データに基づき表示される画像に、上記第２部分データに基づき表示される画像を含むような円を設定するための円情報であることを特徴とする請求項１に記載のデータ管理方法。
【請求項５】
上記第２管理情報は、上記第１部分データに基づき表示される画像に、上記第２部分データに基づき表示される画像を含むような多角形を設定するための任意形状情報であることを特徴とする請求項１に記載のデータ管理方法。
【請求項６】
上記記録媒体に記録されているデータは、動画をオブジェクト単位にて管理可能なデータであるとともに、
上記第２管理情報は、上記第２部分データに基づき表示される画像を構成するオブジェクトを識別するためのオブジェクト情報であることを特徴とする請求項１に記載のデータ管理方法。
【請求項７】
上記第２管理情報は、上記第１部分データに基づき表示される画像から、上記第２部分データに基づき表示される画像を抽出するための処理関数を示す関数情報であることを特徴とする請求項１に記載のデータ管理方法。
【請求項８】
上記第２管理情報は、上記第１部分データに基づき表示される画像において、上記第２部分データに基づき表示される画像が移動する状態を示す動き情報であることを特徴とする請求項２ないし７のいずれか１項に記載のデータ管理方法。
【請求項９】
上記動き情報は、上記第１部分データに基づき表示される画像に対する、上記第２部分データに基づき表示される画像の座標を、時系列で示す情報であることを特徴とする請求項８に記載のデータ管理方法。
【請求項１０】
記録媒体に記録された第１部分データの記録位置を指定するステップと、
上記第１部分データに含まれる第２部分データを指定するステップと、
上記第１部分データの上記記録媒体における記録位置に関する第１管理情報と、上記第２部分データに関する上記第２管理情報とを参照し、第２部分データを抽出するステップと、
上記第２部分データの再生画像を表示するステップとを備えていることを特徴とするデータ表示方法。
【請求項１１】
記録媒体に記録された第１部分データの記録位置を指定する位置情報指定手段と、
上記第１部分データに含まれる第２部分データを指定する第２部分データ指定手段と、
上記第１部分データの上記記録媒体における記録位置に関する第１管理情報と、上記第２部分データに関する上記第２管理情報とを参照し、第２部分データを抽出する部分データ処理手段と、
上記第２部分データの再生画像を表示する表示手段とを備えていることを特徴とする記録再生装置。
【請求項１２】
上記部分データ処理手段は、上記第１部分データに基づき表示される画像から上記第２部分データに基づき表示される画像を抽出するための複数の処理関数のうち、少なくとも１つの処理関数を実行することを特徴とする請求項１１に記載の記録再生装置。
【請求項１３】
任意位置に記録される第１部分データの記録位置に関する第１管理情報と、上記第１部分データに含まれる第２部分データに関する第２管理情報とを記録していることを特徴とするコンピュータ読み取り可能な記録媒体。
【発明の詳細な説明】
【０００１】
【発明の属する技術分野】
本発明は、動画像、静止画像、音声などのデジタルデータを、光磁気ディスク、光ディスク、ハードディスクなどの磁気ディスク、または半導体メモリなどの記録媒体に記録するとともに、記録したデジタルデータの任意の位置情報を管理し、任意の位置情報から記録したデータを再生するためのデータ管理方法、データ表示方法、記録再生装置、および記録媒体に関する。
【０００２】
【従来の技術】
近年、映像や音声などのデータを記録して再生する記録再生装置として、パーソナルコンピュータ、ＤＶＤ（Ｄｉｇｉｔａｌ　Ｖｉｄｅｏ　Ｄｉｓｋ）レコーダー、デジタルカメラなどが普及している。これらの記録再生装置は、記録した映像などにおける任意の位置を登録することを可能とする「ブックマーク機能」を有しているのが一般的である。
【０００３】
ブックマーク機能を用いて登録したブックマークにより、記録再生装置は、動画像のブックマーク位置の画像を表示し、登録したブックマーク位置（または時間）から再生を開始することができる。また、記録再生装置は、データ管理情報に格納されているブックマーク情報を参照し、ブックマーク情報に記録されている代表画像をブックマーク画像として表示する。
【０００４】
以下、図１２を参照しつつ、記録媒体に記録されている従来のデータ構造を説明する。記録媒体に記録されている従来のデータ構造は、図１２に示すように、論理管理情報８００と、データ領域８０１とにより構成されている。
【０００５】
論理管理情報８００は、ＦＡＴ（Ｆｉｌｅ　Ａｌｌｏｃａｔｉｏｎ　Ｔａｂｌｅ）やＵＤＦ（Ｕｎｉｖｅｒｓａｌ　Ｄｉｓｋ　Ｆｏｒｍａｔ）などのファイルシステムにより管理されている管理情報であり、データ領域８０１に記録されているファイルを参照するための情報が格納されている。
【０００６】
データ領域８０１は、論理管理情報８００により管理されているファイルが記録される領域である。また、データ領域８０１には、ファイル＃１（８０２）、ファイル＃２（８０３）、およびファイル＃ｎ（８０４）までの複数のファイルが記録されているとともに、空き領域８０５が設けられている。
【０００７】
ファイル＃１（８０２）には、データ＃１管理情報８０６と、動画、静止画、音声、テキストなどのデータ＃１（８０７）とが記録されている。ファイル＃２（８０３）には、データ＃２管理情報８０８と、動画、静止画、音声、テキストなどのデータ＃２（８０９）とが記録されている。ファイル＃ｎ（８０４）には、データ＃ｎ管理情報８１０と、動画、静止画、音声、テキストなどのデータ＃ｎ（８１１）とが記録されている。空き領域８０５は、何も記録されていない領域である。
【０００８】
このように、動画、静止画、音声などのデータは、データを再生するための管理情報であるデータ管理情報とともにデータファイルに記録されている。
【０００９】
また、データ＃２管理情報８０８には、データ管理情報に記録される管理情報を参照するためのヘッダ情報８１２、ブックマーク画像情報のデータの種類やデータ作成日時などが格納されている属性情報８１３、動画を再生するための動画管理情報８１４、およびブックマークを管理するためのブックマーク管理情報８１５が格納されている。
【００１０】
さらに、ブックマーク管理情報８１５には、ブックマーク＃１位置情報８１６と、ブックマーク＃２位置情報８１７と、ブックマーク＃３位置情報８１８とが格納されている。
【００１１】
また、データ＃２（８０９）には、動画データ８１９と、ブックマークデータ８２０とが格納されている。
【００１２】
また、ブックマーク＃１位置情報８１６には、動画データ８１９内のブックマーク＃１位置８２７に相当する位置情報が格納されている。この位置情報は、動画データ８１９の先頭からのオフセットバイト数、または動画データ８１９を原点とした再生時間として格納されている。
【００１３】
また、ブックマーク＃２位置情報８１７には、動画データ８１９内のブックマーク＃２位置８２８に相当する位置情報が格納されている。この位置情報は、動画データ８１９の先頭からのオフセットバイト数、または動画データ８１９を原点とした再生時間として格納されている。
【００１４】
さらに、ブックマーク＃３位置情報８１８には、動画データ８１９内のブックマーク＃３位置８２９に相当する位置情報が格納されている。この位置情報は、動画データ８１９の先頭からのオフセットバイト数、または動画データ８１９を原点とした再生時間として格納される。
【００１５】
また、ブックマークデータ８２０には、ブックマーク＃１画像８２１と、ブックマーク＃１タイトル８２２と、ブックマーク＃２画像８２３と、ブックマーク＃２タイトル８２４と、ブックマーク＃３画像８２５と、ブックマーク＃３タイトル８２６とが格納されている。
【００１６】
ブックマーク＃１画像８２１には、ブックマーク＃１位置情報８１６に格納されている位置情報に相当する、動画データ８１９における１フレーム分の画像データが格納されている。
【００１７】
さらに、ブックマーク＃２画像８２３には、ブックマーク＃２位置情報８１７に格納されている位置情報に相当する、動画データ８１９の１フレーム分の画像データが格納されている。また、ブックマーク＃３画像８２５には、ブックマーク＃３位置情報８１８に格納されている位置情報に相当する、動画データ８１９における１フレーム分の画像データが格納される。
【００１８】
また、特開平６−１６２０９３号公報（以下、特許文献１とする）、特開平１１−３２８９３３号公報（以下、特許文献２とする）、特開２０００−２２４５５４号公報（以下、特許文献３とする）には、ブックマークを管理する技術が開示されている。
【００１９】
特許文献１には、電子ファイリング装置および文書ファイル装置などの画像処理装置において、頁単位の画像データを検索可能とするために、画像データに対してしおりを付加する位置の座標データをしおり情報として登録する方法が開示されている。
【００２０】
特許文献２には、音楽をデジタルデータ化して記録するミニディスクにおいて、一時停止した際の電力を消費しない方法で、任意の位置および複数の位置を記憶させておく方法が開示されている。
【００２１】
特許文献３には、テレビ放送の伝送方式において、しおり情報を含むユーザーデータを伝送し、番組にしおりを付加する方法と、しおりのある部分からの動作（再生、早送り再生、スロー再生、これらの逆再生、スキップ、繰り返し再生）である区切り動作、しおり情報の変更禁止などの動作制御を実現する方法とが開示されている。
【００２２】
【特許文献１】
特開平６−１６２０９３号公報（平成６年６月１０日公開）
【００２３】
【特許文献２】
特開平１１−３２８９３３号公報（平成１１年１１月３０日公開）
【００２４】
【特許文献３】
特開２０００−２２４５５４号公報（平成１２年８月１１日公開）
【００２５】
【発明が解決しようとする課題】
しかしながら、上記公報に記載された技術は、記録したデータの任意位置を示すブックマーク情報として、任意位置に対応するフレーム画像の特徴部分を示すことができない。
【００２６】
すなわち、特許文献２に記載された技術は、再生時間やその時間に相当するデータまでのデータ量のみを管理しているため、記録したデータの任意位置に対応したデータの特徴部分を示すことができない。
【００２７】
また、特許文献３に記載された技術は、再生時間やその時間に相当するデータまでのデータ量や、再生動作を制御する制御情報を管理しているが、記録したデータの任意位置の特徴部分に関する情報は何ら管理していないので、当該特徴部分を示すことができない。
【００２８】
さらに、特許文献１に記載された技術は、頁単位にブックマーク登録を行う技術であるので、時系列で連続する動画像データに対しては、ブックマークを登録することができない。
【００２９】
たとえば、ＭＰＥＧ（Ｍｏｔｉｏｎ　Ｐｉｃｔｕｒｅ　Ｅｘｐｅｒｔｓ　Ｇｒｏｕｐ）２やＭＰＥＧ４により圧縮して記録された動画像データに対して、特許文献１に記載された技術を用いてブックマークを登録するとともに、当該ブックマーク位置から動画像データを再生することは不可能である。なぜなら、記録媒体に記録されたデータの管理情報およびブックマーク情報からの再生手法が、特許文献１に記載された技術が対象とする文書データと動画像データとの間で異なるからである。
【００３０】
また、特許文献１に記載された技術は、頁単位に登録するしおり情報として座標データを管理している。なお、座標データは、しおりを検索するために設けられているものであり、しおりパターンやしおりマークを合成表示するためのデータである。
【００３１】
すなわち、特許文献１に記載された技術は、動画像のフレーム内の特徴部分をブックマーク情報として管理し、その特徴画像をユーザーに示すものではない。
【００３２】
このように、従来のブックマーク管理方法では、時間軸をもつ動画像の任意の時間間隔をブックマークとして登録し、その時間間隔内のフレーム画像の特徴部分を示すことはできなかった。たとえば、ＭＰＥＧ４などにより圧縮して記録された動画像データのように、オブジェクトごとに伝送されるデータについて、特徴部分のオブジェクトを示すこともできなかった。
【００３３】
本発明は、上記従来の問題点に鑑みなされたものであり、その目的は、記録媒体の動画データについて、ブックマーク画像とともに該ブックマーク画像における特徴画像を管理するというように、記録媒体に記録されたデータをより詳細に管理することを可能とするデータ管理方法、データ表示方法、記録再生装置、および記録媒体を提供することにある。
【００３４】
【課題を解決するための手段】
本発明のデータ管理方法は、上記課題を解決するために、記録媒体に記録された第１部分データの記録位置に関する第１管理情報を、該記録媒体に記録するための方法であって、上記第１部分データに含まれる第２部分データに関する第２管理情報を、上記記録媒体に記録することを特徴としている。
【００３５】
上記構成によれば、記録媒体に記録された第１部分データについて、第１管理情報により、その記録位置を管理することができる。さらに、第１部分データ内における第２部分データについても、第２管理情報に基づき管理することが可能となる。
【００３６】
たとえば、記録媒体に動画データを記録する場合において、上記構成のデータ管理方法によれば、動画データのブックマーク画像に関するデータを、第１部分データとして第１管理情報により管理するとともに、ブックマーク画像における特徴画像に関するデータを、第２部分データとして第２管理情報により管理することができる。
【００３７】
このように、第１管理情報および第２管理情報に基づき、記録媒体に記録されたデータを２段階に細分化したデータの管理が可能となる。したがって、記録媒体に記録されたデータをより詳細に管理することが可能となる。
【００３８】
また、本発明のデータ管理方法は、上記課題を解決するために、上記構成のデータ管理方法において、上記第２管理情報が、上記第１部分データに基づき表示される画像に対する、上記第２部分データに基づき表示される画像の座標を示す座標情報であることを特徴としている。
【００３９】
上記構成によれば、第２部分データに基づき表示される画像の位置を、座標情報により特定することが可能となる。したがって、第１部分データに基づき表示される画像から、第２部分データに基づき表示される画像の位置をユーザーに知らせることが可能となる。
【００４０】
また、本発明のデータ管理方法は、上記課題を解決するために、上記構成のデータ管理方法において、上記第２管理情報が、上記第１部分データに基づき表示される画像に、上記第２部分データに基づき表示される画像を含むような矩形を設定するための矩形情報であることを特徴としている。
【００４１】
上記構成によれば、上記矩形により、第２部分データに基づき表示される画像を特定することが可能となる。したがって、第１部分データに基づき表示される画像から、第２部分データに基づき表示される画像のみを容易に抽出することが可能となる。
【００４２】
また、本発明のデータ管理方法は、上記課題を解決するために、上記構成のデータ管理方法において、上記第２管理情報が、上記第１部分データに基づき表示される画像に、上記第２部分データに基づき表示される画像を含むような円を設定するための円情報であることを特徴としている。
【００４３】
上記構成によれば、上記円により、第２部分データに基づき表示される画像を特定することが可能となる。したがって、第１部分データに基づき表示される画像から、第２部分データに基づき表示される画像のみを容易に抽出することが可能となる。
【００４４】
また、本発明のデータ管理方法は、上記課題を解決するために、上記構成のデータ管理方法において、上記第２管理情報が、上記第１部分データに基づき表示される画像に、上記第２部分データに基づき表示される画像を含むような多角形を設定するための任意形状情報であることを特徴としている。
【００４５】
上記構成によれば、上記多角形により、第２部分データに基づき表示される画像を特定することが可能となる。したがって、第１部分データに基づき表示される画像から、第２部分データに基づき表示される画像のみを容易に抽出することが可能となる。
【００４６】
また、本発明のデータ管理方法は、上記課題を解決するために、上記構成のデータ管理方法において、上記記録媒体に記録されているデータが、動画をオブジェクト単位にて管理可能なデータであるとともに、上記第２管理情報は、上記第２部分データに基づき表示される画像を構成するオブジェクトを識別するためのオブジェクト情報であることを特徴としている。
【００４７】
上記構成によれば、上記オブジェクト情報により、第２部分データに基づき表示される画像を構成するオブジェクトを特定することが可能となる。したがって、第１部分データに基づき表示される画像から、第２部分データに基づき表示される画像のみを容易に抽出することが可能となる。
【００４８】
また、本発明のデータ管理方法は、上記課題を解決するために、上記構成のデータ管理方法において、上記第２管理情報が、上記第１部分データに基づき表示される画像から、上記第２部分データに基づき表示される画像を抽出するための処理関数を示す関数情報であることを特徴としている。
【００４９】
上記構成によれば、上記関数情報により、第２部分データに基づき表示される画像を抽出するための処理関数を特定することが可能となる。したがって、上記処理関数を実行し、第１部分データに基づき表示される画像から、第２部分データに基づき表示される画像のみを容易に抽出することが可能となる。
【００５０】
また、本発明のデータ管理方法は、上記課題を解決するために、上記構成のデータ管理方法において、上記第２管理情報が、上記第１部分データに基づき表示される画像において、上記第２部分データに基づき表示される画像が移動する状態を示す動き情報であることを特徴としている。
【００５１】
上記構成によれば、上記動き情報により、第２部分データに基づき表示される画像の移動状態を特定することが可能となる。したがって、第２部分データに表示される画像が第１部分データに基づき表示される画像内を移動している場合であっても、第１部分データに基づき表示される画像から、第２部分データに基づき表示される画像のみを容易に抽出することが可能となる。
【００５２】
また、本発明のデータ管理方法は、上記課題を解決するために、上記構成のデータ管理方法において、上記動き情報が、上記第１部分データに基づき表示される画像に対する、上記第２部分データに基づき表示される画像の座標を、時系列で示す情報であることを特徴としている。
【００５３】
上記構成によれば、上記動き情報により、第２部分データに基づき表示される画像の座標を時系列で特定することができる。したがって、第２部分データに表示される画像が第１部分データに基づき表示される画像内を移動している場合であっても、第１部分データに基づき表示される画像から、第２部分データに基づき表示される画像のみをより容易に抽出することが可能となる。
【００５４】
また、本発明のデータ表示方法は、上記課題を解決するために、記録媒体に記録された第１部分データの記録位置を指定するステップと、上記第１部分データに含まれる第２部分データを指定するステップと、上記第１部分データの上記記録媒体における記録位置に関する第１管理情報と、上記第２部分データに関する上記第２管理情報とを参照し、第２部分データを抽出するステップと、上記第２部分データの再生画像を表示するステップとを備えていることを特徴としている。
【００５５】
上記構成によれば、ユーザーにより第１部分データの記録位置および第２部分データが指定されるとともに、指定された第１部分データの第１管理情報と、第２部分データの第２管理情報とから、第２部分データが抽出され、さらに、第２部分データの再生画像が表示される。
【００５６】
たとえば、記録媒体に記録された動画データを再生してディスプレイ等に表示する場合において、上記構成のデータ表示方法によれば、動画データのブックマーク画像に関するデータを、第１部分データとして第１管理情報により表示するとともに、ブックマーク画像における特徴画像に関するデータを、第２部分データとして第２管理情報により表示することができる。
【００５７】
このように、第１管理情報および第２管理情報に基づき、記録媒体に記録されたデータを２段階に細分化したデータの表示が可能となる。したがって、記録媒体に記録されたデータをより詳細にユーザーに提示することが可能となる。
【００５８】
また、本発明の記録再生装置は、上記課題を解決するために、記録媒体に記録された第１部分データの記録位置を指定する位置情報指定手段と、上記第１部分データに含まれる第２部分データを指定する第２部分データ指定手段と、上記第１部分データの上記記録媒体における記録位置に関する第１管理情報と、上記第２部分データに関する上記第２管理情報とを参照し、第２部分データを抽出する部分データ処理手段と、上記第２部分データの再生画像を表示する表示手段とを備えていることを特徴としている。
【００５９】
上記構成によれば、ユーザーは、位置情報指定手段と第２部分データ指定手段とにより、第１部分データおよび第２部分データを指定することができる。さらに、第１部分データの第１管理情報と、第２部分データの第２管理情報とから、部分データ処理手段により第２部分データが抽出され、さらに、表示手段により第２部分データの再生画像が表示される。
【００６０】
たとえば、記録媒体に記録された動画データを再生してディスプレイ等に表示する場合において、上記構成の記録再生装置によれば、動画データのブックマーク画像に関するデータを、第１部分データとして第１管理情報により表示するとともに、ブックマーク画像における特徴画像に関するデータを、第２部分データとして第２管理情報により表示することができる。
【００６１】
このように、第１管理情報および第２管理情報に基づき、記録媒体に記録されたデータを２段階に細分化したデータの表示が可能となる。したがって、記録媒体に記録されたデータをより詳細にユーザーに提示することが可能となる。
【００６２】
また、本発明の記録再生装置は、上記課題を解決するために、上記構成の記録再生装置において、上記部分データ処理手段が、上記第１部分データに基づき表示される画像から、上記第２部分データに基づき表示される画像を抽出するための複数の処理関数のうち、少なくとも１つの処理関数を実行することを特徴としている。
【００６３】
上記構成によれば、部分データ処理手段にて処理関数が実行されるので、第１部分データに基づき表示される画像から、第２部分データに基づき表示される画像のみを容易に抽出することが可能となる。
【００６４】
また、本発明のコンピュータ読み取り可能な記録媒体は、上記課題を解決するために、任意位置に記録される第１部分データの記録位置に関する第１管理情報と、上記第１部分データに含まれる第２部分データに関する第２管理情報とを記録していることを特徴とする。
【００６５】
上記構成によれば、第１部分データについて、第１管理情報によりその記録位置を管理することができる。さらに、第１部分データ内における第２部分データについても、第２管理情報に基づき管理することが可能となる。
【００６６】
たとえば、本発明の記録媒体が動画データを記録する記録媒体である場合において、上記構成によれば、動画データのブックマーク画像に関するデータを、第１部分データとして第１管理情報により管理するとともに、ブックマーク画像における特徴画像に関するデータを、第２部分データとして第２管理情報により管理することができる。
【００６７】
このように、第１管理情報および第２管理情報に基づき、記録媒体に記録されたデータを２段階に細分化したデータの管理が可能となる。したがって、記録媒体に記録されたデータをより詳細に管理することが可能となる。
【００６８】
【発明の実施の形態】
本発明の実施の一形態について図面に基づいて説明すれば、以下の通りである。
【００６９】
本実施の形態のデータ管理方法を用いて記録媒体に記録されているデータは、図１に示すように、論理管理情報７００とデータ領域７０１とにより構成されている。
【００７０】
論理管理情報７００は、ＦＡＴやＵＤＦなどのファイルシステムにより管理されている管理情報であり、データ領域７０１に記録されているファイルを参照するための情報が格納されている。データ領域７０１は、論理管理情報７００により管理されているファイルが記録される領域である。
【００７１】
データ領域７０１には、ファイル＃１（７０２）、ファイル＃２（７０３）、およびファイル＃ｎ（７０４）までの複数のファイルが記録されているとともに、空き領域７０５が設けられている。
【００７２】
ファイル＃１（７０２）には、データ＃１管理情報７０６と、動画、静止画、音声、テキストなどのデータ＃１（７０７）とが記録されている。ファイル＃２（７０３）には、データ＃２管理情報７０８と、動画、静止画、音声、テキストなどのデータ＃２（７０９）とが記録されている。ファイル＃ｎ（７０４）には、データ＃ｎ管理情報７１０と、動画、静止画、音声、テキストなどのデータ＃ｎ（７１１）とが記録されている。なお、空き領域７０５は、何も記録されていない領域である。
【００７３】
このように、動画、静止画、音声などのデータは、データを再生するための管理情報であるデータ管理情報とともにデータファイルに記録されている。
【００７４】
また、データ＃２管理情報７０８には、データ管理情報に記録される管理情報を参照するためのヘッダ情報７１２、ブックマーク画像情報のデータの種類やデータ作成日時などが格納されている属性情報７１３、動画を再生するための動画管理情報７１４、およびブックマークを管理するためのブックマーク管理情報（第１管理情報）７１５が格納されている。
【００７５】
また、ブックマーク管理情報７１５には、ブックマーク＃１位置情報７１６と、ブックマーク＃１特徴情報（第２管理情報）７３０と、ブックマーク＃２位置情報７１７と、ブックマーク＃２特徴情報（第２管理情報）７３１と、ブックマーク＃３位置情報７１８と、ブックマーク＃３特徴情報（第２管理情報）７３２とが格納されている。
【００７６】
また、データ＃２（７０９）には、動画データ７１９と、ブックマークデータ（第１部分データ）７２０とが格納されている。
【００７７】
ブックマーク＃１位置情報７１６には、動画データ７１９内のブックマーク＃１位置７２７に相当する位置情報が格納されている。この位置情報は、動画データ７１９の先頭からのオフセットバイト数、または動画データ７１９を原点とした再生時間として格納されている。
【００７８】
また、ブックマーク＃２位置情報７１７には、動画データ７１９内のブックマーク＃２位置７２８に相当する位置情報が格納されている。この位置情報は、動画データ７１９の先頭からのオフセットバイト数、または動画データ７１９を原点とした再生時間として格納されている。
【００７９】
さらに、ブックマーク＃３位置情報７１８には、動画データ７１９内のブックマーク＃３位置７２９に相当する位置情報が格納されている。この位置情報は、動画データ７１９の先頭からのオフセットバイト数、または動画データ７１９を原点とした再生時間として格納されている。
【００８０】
また、ブックマーク＃１特徴情報７３０は、ブックマーク＃１画像７２１における特徴画像を特定するための情報である。同様に、ブックマーク＃２特徴情報７３１は、ブックマーク＃２画像７２３における特徴画像を特定するための情報であり、ブックマーク＃３特徴情報７３２は、ブックマーク＃３画像７２５における特徴画像を特定するための情報である。ブックマーク特徴情報の具体的な構成については後述する。
【００８１】
ブックマークデータ７２０には、ブックマーク＃１画像７２１と、ブックマーク＃１タイトル７２２と、ブックマーク＃２画像７２３と、ブックマーク＃２タイトル７２４と、ブックマーク＃３画像７２５と、ブックマーク＃３タイトル７２６とが格納されている。
【００８２】
ブックマーク＃１画像７２１には、ブックマーク＃１位置情報７１６に格納されている位置情報に相当する、動画データ７１９における１フレーム分の画像データが格納されている。
【００８３】
ブックマーク＃２画像７２３には、ブックマーク＃２位置情報７１７に格納されている位置情報に相当する、動画データ７１９の１フレーム分の画像データが格納されている。
【００８４】
ブックマーク＃３画像７２５には、ブックマーク＃３位置情報７１８に格納されている位置情報に相当する、動画データ７１９における１フレーム分の画像データが格納されている。
【００８５】
このように、動画データ７１９に登録されたブックマーク７２７〜７２９のそれぞれに関する、ブックマークデータ７２０内の画像データやタイトルデータは、ブックマーク管理情報７１５内のブックマーク位置情報７１６〜７１８により管理されている。
【００８６】
上記したデータ構成における、動画データと、ブックマークデータと、特徴情報（第２管理情報）との関係について、図２ないし図８を用いて説明する。
【００８７】
図２は、ブックマーク画像における特徴画像を特定するための特徴情報が座標情報である場合の、動画データと、ブックマークデータと、特徴情報との時間関係を示す図である。
【００８８】
動画ファイルには、図２に示すように、撮影した動画データの記録を管理するＶｉｄｅｏトラック７７０と、機器の内部で再生時間を管理する時間（Ｔｉｍｅ）管理７７１と、指定したブックマーク位置に対応する時間に関連付けてタイトルなどのテキストデータを管理するＴｅｘｔトラック７７２と、指定したブックマーク位置に対応する時間に関連付けてブックマーク画像などの静止画データを管理するＴｈｕｍｂｎａｉｌトラック７７３との管理情報が記録されている。
【００８９】
本実施の形態では、動画データのＴｉｍｅ＃１にＢｏｏｋｍａｒｋ＃１を、Ｔｉｍｅ＃２にＢｏｏｋｍａｒｋ＃２を、Ｔｉｍｅ＃３にＢｏｏｋｍａｒｋ＃３を、Ｔｉｍｅ＃４にＢｏｏｋｍａｒｋ＃４をブックマークとして登録している。さらに、タイトルデータとしてＢｏｏｋｍａｒｋ＃１にはＴｉｔｌｅ＃１を、Ｂｏｏｋｍａｒｋ＃２にはＴｉｔｌｅ＃２を、Ｂｏｏｋｍａｒｋ＃３にはＴｉｔｌｅ＃３を、Ｂｏｏｋｍａｒｋ＃４にはＴｉｔｌｅ＃４というように、Ｔｅｘｔトラックにより各ブックマークにタイトルを関連付けて管理している。
【００９０】
また、ブックマーク画像は、Ｔｈｕｍｂｎａｉｌトラック７７３により管理されている。つまり、Ｔｈｕｍｂｎａｉｌトラック７７３には、動画データ先頭からＴｉｍｅ＃１の位置に記録された静止画データがＴｈｕｍｂｎａｉｌ＃１、動画データ先頭からＴｉｍｅ＃２の位置に記録された静止画データがＴｈｕｍｂｎａｉｌ＃２、動画データ先頭からＴｉｍｅ＃３の位置に記録された静止画データがＴｈｕｍｂｎａｉｌ＃３、動画データ先頭からＴｉｍｅ＃４の位置に記録された静止画データがＴｈｕｍｂｎａｉｌ＃４というように、それぞれのブックマークに静止画データが関連付けられて格納されている。
【００９１】
このブックマーク画像は、動画データのフレーム画像がたとえば７０４×４８０ピクセルのビットマップ画像であった場合に、１６０×１２０ピクセルに縮小された画像、ＪＰＥＧ（Ｊｏｉｎｔ　Ｐｈｏｔｏｇｒａｐｈｉｃ　Ｅｘｐｅｒｔｓ　Ｇｒｏｕｐ）画像やＴＩＦＦ（Ｔａｇ　Ｉｍａｇｅ　Ｆｉｌｅ　Ｆｏｒｍａｔ）画像などの画像に圧縮された画像、または動画データと同じデータサイズの画像でもよい。
【００９２】
また、図２に示すように、ブックマーク登録した画像を表示するブックマーク画面７７５の中で、特徴画像７７６を特定したい場合には、特徴情報７７４を動画ファイルに格納する。本実施の形態では、Ｂｏｏｋｍａｒｋ＃４に、ブックマーク画像内における特徴画像７７６の位置を示す座標情報７７９が記録されている。
【００９３】
また、ブックマーク管理情報７７７は、動画データ内における複数のブックマークについて、Ｂｏｏｋｍａｒｋ情報としてのＴｉｍｅ、Ｔｅｘｔトラック、Ｔｈｕｍｂｎａｉｌトラック、および特徴情報を管理する情報である。
【００９４】
ブックマーク管理情報７７７には、Ｂｏｏｋｍａｒｋの数を管理する情報と、Ｂｏｏｋｍａｒｋ情報＃１からＢｏｏｋｍａｒｋ情報＃４までの４つのＢｏｏｋｍａｒｋ情報とが格納されている。
【００９５】
たとえば、Ｂｏｏｋｍａｒｋ情報＃１（７７８）は、ブックマークを登録した日時を示すブックマーク登録日時と、動画データを再生したときの動画データの先頭からブックマーク位置までの時間を示すブックマーク時間と、ブックマーク画像における特徴的な画像である特徴画像のデータ（特徴画像データ、第２部分データ）を特定するための座標情報７７９と、タイトルデータを参照するためにタイトルトラック内の管理番号などを示すＴｉｔｌｅ参照情報と、サムネイルデータを参照するためにサムネイルトラック内の管理番号などを示すＴｈｕｍｂｎａｉｌ参照情報とを格納している。
【００９６】
なお、サムネイルトラックとは、サムネイルを記録する管理情報のことである。つまり、たとえばＱｕｉｃｋＴｉｍｅにおいては、ＭＰＥＧストリームやＪＰＥＧデータを管理するＶｉｄｅｏトラックが、サムネイルトラックに該当する。Ｖｉｄｅｏトラック以外のサムネイルトラックとしては、音声を管理するＡｕｄｉｏトラックや、文字を管理するテキストトラックなどを挙げることができる。
【００９７】
本実施形態では、ブックマーク指定した位置のサムネイルデータを記録した場合、Ｖｉｄｅｏトラックの管理情報に、サムネイルの画像サイズやコーデック情報、サムネイルデータの位置などの管理情報を記録する。また、サムネイルトラックはファイルの管理情報領域（ｍｏｏｖ）に記録され、サムネイルデータはファイルのデータ領域（ｍｄａｔ）に記録される。
【００９８】
また、Ｂｏｏｋｍａｒｋ情報＃２〜＃４にも、Ｂｏｏｋｍａｒｋ情報＃１と同様に、ブックマーク登録日時と、ブックマーク時間と、座標情報と、Ｔｉｔｌｅ参照情報と、Ｔｈｕｍｂｎａｉｌ参照情報とが格納されている。
【００９９】
座標情報７７９は、ブックマーク画面７７５における左上の角部を原点（０，０）とした場合における、特徴画像７７６の位置の、水平方向のピクセル数であるＰｏｓｉｔｉｏｎ　ｘと、垂直方向のピクセル数であるＰｏｓｉｔｉｏｎ　ｙとを格納している。
【０１００】
さらに、動画データのＴｉｍｅ＃４に登録したＢｏｏｋｍａｒｋ＃４に対応するブックマーク画像を表示する場合には、そのブックマーク画像における特徴画像７７６の近辺に、Ｔｅｘｔトラック７７２により管理されているＴｉｔｌｅ＃４を参照し、タイトルのビットマップデータ７９０をブックマーク画像に合成して表示する。
【０１０１】
上記構成により、ブックマーク画像を選択した場合には、特徴情報７７４により特徴画像７７６の位置を特定するとともに、その位置をユーザーに知らせることができる。さらに、Ｔｅｘｔトラック７７２を参照して、登録されている特徴画像をタイトルデータとともに示してもよい。
【０１０２】
図３は、ブックマーク画像における特徴画像を特定するための特徴情報が矩形情報である場合の、動画データと、ブックマークデータと、特徴情報との時間関係を示す図である。なお、動画データとブックマークデータの関係、ブックマーク管理情報７７７、Ｂｏｏｋｍａｒｋ情報７７８は、図２に示した構成と同じであるため、説明を省略する。
【０１０３】
図３に示す構成においては、Ｂｏｏｋｍａｒｋ情報７７８に矩形情報７８０が格納されている。つまり、図３に示す構成では、特徴画像７７６は、矩形情報７８０により決定される矩形に含まれることで特定することができる。
【０１０４】
特徴画像７７６を含むような矩形を決定すべく、矩形情報７８０は、ブックマーク画面７７５の左上を原点（０，０）とした場合、上記矩形における左上座標の水平方向のピクセル数ｘｓ、垂直方向のピクセル数ｙｓと、上記矩形における右下座標の水平方向のピクセル数ｘｅ、垂直方向のピクセル数ｙｅとを管理している。
【０１０５】
図４は、ブックマーク画像における特徴画像を特定するための特徴情報が円情報である場合の、動画データと、ブックマークデータと、特徴情報との時間関係を示す図である。
【０１０６】
図４に示す構成においては、Ｂｏｏｋｍａｒｋ情報７７８に円情報７８１が格納されている。つまり、図４に示す構成では、特徴画像７７６は、円情報７８１により決定される円に含まれることで特定することができる。
【０１０７】
すなわち、円情報７８１は、表示画面の左上を原点（０，０）とした場合、特徴画像７７６を含むように範囲指定される円における中心座標の、水平方向のピクセル数をＰｏｓｉｔｉｏｎ　ｘ、垂直方向のピクセル数をＰｏｓｉｔｉｏｎ　ｙとし、上記円の半径のピクセル数をＲ　ｓｉｚｅとして管理している。
【０１０８】
図５は、ブックマーク画像における特徴画像を特定するための特徴情報が任意形状情報である場合の、動画データと、ブックマークデータと、特徴情報との時間関係を示す図である。なお、動画データとブックマークデータの関係、ブックマーク管理情報７７７の基本的は、図２に示した構成と同じであるため、説明を省略する。
【０１０９】
図５に示す構成においては、Ｂｏｏｋｍａｒｋ情報７７８に任意形状情報７８２が格納されている。つまり、図５に示す構成では、特徴画像７７６は、任意形状情報７８２により決定される多角形に含まれることで特定することができる。
【０１１０】
上記多角形は、任意形状情報７８２にその位置が記録されているＰｏｓｉｔｉｏｎ＃１〜Ｐｏｓｉｔｉｏｎ＃ｎまでのｎ個の座標を結ぶように決定される。
【０１１１】
より具体的には、任意形状情報７８２は、表示画面の左上を原点（０，０）とした場合における、Ｐｏｓｉｔｉｏｎ＃１〜Ｐｏｓｉｔｉｏｎ＃ｎまでのｎ個の座標を、それぞれ水平方向のピクセル数Ｐｏｓｉｔｉｏｎ　ｘ、および垂直方向のピクセル数Ｐｏｓｉｔｉｏｎ　ｙにより管理している。
【０１１２】
図６は、ブックマーク画像における特徴画像を特定するための特徴情報がオブジェクト情報である場合の、動画データと、ブックマークデータと、特徴情報との時間関係を示す図である。なお、動画データとブックマークデータの関係、ブックマーク管理情報７７７、Ｂｏｏｋｍａｒｋ情報７７８は、図２に示した構成と同じであるため、説明を省略する。
【０１１３】
図６に示す構成では、動画データとして、動画をオブジェクト単位にて管理可能なデータ、たとえばＭＰＥＧ４データを採用している。また、Ｂｏｏｋｍａｒｋ情報７７８は、オブジェクト情報７８３を格納している。さらに、オブジェクト情報７８３は、特徴画像７７６を構成するオブジェクトの数を示す情報を管理しているとともに、オブジェクトの種類を示すオブジェクトＩＤを、特徴画像７７６を構成するオブジェクトの数だけ管理している。
【０１１４】
したがって、図６に示す構成では、特徴画像７７６を、オブジェクト情報７８３内に含まれるオブジェクトＩＤによりオブジェクト単位で指定することができる。なお、オブジェクト情報７８３は、少なくとも１つのオブジェクトＩＤを格納する構成であればよい。
【０１１５】
図７は、ブックマーク画像における特徴画像を特定するための特徴情報が、特徴画像を抽出する関数情報である場合の、動画データと、ブックマークデータと、特徴情報との時間関係を示す図である。なお、動画データとブックマークデータの関係、ブックマーク管理情報７７７の基本的な構成は、図２に示した構成と同じであるため、説明を省略する。
【０１１６】
Ｂｏｏｋｍａｒｋ情報＃１（７７８’）は、ブックマークを登録した日時を示すブックマーク登録日時と、動画データを再生したときの動画データの先頭からブックマーク位置までの時間を示すブックマーク時間と、ブックマーク画像から特徴画像を抽出する処理関数を特定するための関数情報７８４と、タイトルデータを参照するためにタイトルトラック内の管理番号などを示すＴｉｔｌｅ参照情報と、サムネイルデータを参照するためにサムネイルトラック内の管理番号などを示すＴｈｕｍｂｎａｉｌ参照情報と、特徴画像を抽出する関数を処理する方法を示す関数処理フラグとが格納されている。
【０１１７】
関数情報７８４は、特徴画像を抽出する処理関数の数を示す情報を格納しているとともに、処理関数の種類を示す関数ＩＤを、特徴画像の抽出に必要な処理関数の数だけ管理している。なお、本実施の形態では、図７に示すように、特徴画像７７６を抽出するための処理関数として、Ｆｕｎｃｔｉｏｎ＃１（７８５）・Ｆｕｎｃｔｉｏｎ＃２（７８６）・Ｆｕｎｃｔｉｏｎ＃３（７８７）の３つの処理関数が設定されている。
【０１１８】
特徴画像を抽出する処理関数は、たとえば、指定した座標の画像の輪郭を抽出する画像輪郭抽出関数や、画像の色情報に基づき画像を抽出する色抽出関数や、顔画像認識関数など、画像を抽出する関数であればなんでもよい。
【０１１９】
本実施の形態では、上記の処理関数にＩＤ番号（Ｆｕｎｃｔｉｏｎ　ＩＤ＃１〜＃３）を割り付けておき、そのＩＤ番号を関数情報７８４に格納する。さらに、格納したＩＤ番号にそれぞれ対応する処理関数として、Ｆｕｎｃｔｉｏｎ＃１（７８５）・Ｆｕｎｃｔｉｏｎ＃２（７８６）・Ｆｕｎｃｔｉｏｎ＃３（７８７）を実行し、特徴画像７７６を抽出する構成とされている。
【０１２０】
また、図２ないし図６を用いて説明したように、特徴情報としての座標情報、矩形情報、円情報、任意形状情報、あるいはオブジェクトＩＤ情報を、特徴画像を抽出する処理関数として定義してもよい。さらに、上記処理関数のＩＤ番号は、１つの関数情報に１つのみ格納する構成であってもよいし、または、１つの関数情報に複数のＩＤ番号を格納し、複数の処理関数を実行することで１つの特徴画像を抽出する構成でもよい。また、抽出した画像をブックマーク画像として格納するとともに、Ｔｈｕｍｂｎａｉｌトラックや他のトラックにより該ブックマーク画像を管理する構成としてもよい。
【０１２１】
図８は、ブックマーク登録した位置から任意の時間間隔にて記録された複数の特徴情報を管理する場合における、動画データと、ブックマークデータと、特徴情報との関係を示す図である。
【０１２２】
動画ファイルには、図８に示すように、撮影した動画データの記録を管理するＶｉｄｅｏトラック７７０と、機器の内部で再生時間を管理する時間管理７７１と、指定したブックマーク位置に対応する時間に関連付けてタイトルなどのテキストデータを管理するＴｅｘｔトラック７７２と、指定したブックマーク位置に対応する時間に関連付けてブックマーク画像などの静止画データを管理するＴｈｕｍｂｎａｉｌトラック７７３との管理情報が記録されている。
【０１２３】
本実施の形態では、動画データのＴｉｍｅ＃１に、Ｂｏｏｋｍａｒｋ＃１をブックマークとして登録している。このブックマークには、タイトルデータであるＴｉｔｌｅ＃１がＴｅｘｔトラック７７２により管理されるとともに、静止画データであるＴｈｕｍｂｎａｉｌ＃１が、ブックマーク画像としてＴｈｕｍｂｎａｉｌトラック７７３により管理されている。なお、Ｔｈｕｍｂｎａｉｌ＃１は、動画データ先頭からＴｉｍｅ＃１に対応する時間に記録されている動画データを静止画データとして変換したものである。
【０１２４】
このブックマーク画像は、動画データのフレーム画像がたとえば７０４×４８０ピクセルのビットマップ画像であった場合に、１６０×１２０ピクセルに縮小された画像、ＪＰＥＧ画像やＴＩＦＦ画像などの画像に圧縮された画像、または動画データと同じデータサイズの画像でもよい。
【０１２５】
さらに、ブックマーク登録したＢｏｏｋｍａｒｋ＃１の時間であるＴｉｍｅ＃１から、Ｏｆｆｓｅｔ　Ｔｉｍｅ＃１だけ経過した時間の動画データに対応したフレーム画像内の特徴画像７７６ａ、ブックマーク登録したＢｏｏｋｍａｒｋ＃１の時間であるＴｉｍｅ＃１からＯｆｆｓｅｔ　Ｔｉｍｅ＃２だけ経過した時間の動画データに対応したフレーム画像内の特徴画像７７６ｂ、ブックマーク登録したＢｏｏｋｍａｒｋ＃１の時間であるＴｉｍｅ＃１からＯｆｆｓｅｔ　Ｔｉｍｅ＃３だけ経過した時間の動画データに対応したフレーム画像内の特徴画像７７６ｃの各座標情報を格納する場合における管理情報の構成を以下に説明する。なお、ブックマーク管理情報の構成は、図２を用いて説明した構成と同じであるため説明しない。
【０１２６】
図８に示す構成においては、Ｂｏｏｋｍａｒｋ情報（図示せず）に、第２特徴情報７８８が含まれている。第２特徴情報７８８には、動き特徴情報の数と、複数の動き特徴情報とが格納されている。本実施の形態では、動き特徴情報＃１（７８９ａ）、動き特徴情報＃２（７８９ｂ）、動き特徴情報＃３（７８９ｃ）として、３つの動き特徴情報が格納されている。以下、各動き特徴情報について具体的に説明する。
【０１２７】
動き特徴情報＃１（７８９ａ）は、Ｏｆｆｓｅｔ　Ｔｉｍｅ＃１と、Ｐｏｓｉｔｉｏｎ　ｘ１と、Ｐｏｓｉｔｉｏｎ　ｙ１とを格納している。なお、Ｐｏｓｉｔｉｏｎ　ｘ１およびＰｏｓｉｔｉｏｎ　ｙ１は、特徴画像７７６ａの位置を表す座標情報である。つまり、表示画面の左上角を原点（０，０）とした場合における、特徴画像７７６ａがある位置の水平方向のピクセル数がＰｏｓｉｔｉｏｎ
ｘ１、垂直方向のピクセル数がＰｏｓｉｔｉｏｎ　ｙ１である。
【０１２８】
動き特徴情報＃２（７８９ｂ）は、Ｏｆｆｓｅｔ　Ｔｉｍｅ＃２と、Ｐｏｓｉｔｉｏｎ　ｘ２と、Ｐｏｓｉｔｉｏｎ　ｙ２とを格納している。なお、Ｐｏｓｉｔｉｏｎ　ｘ２およびＰｏｓｉｔｉｏｎ　ｙ２は、特徴画像７７６ｂの位置を表す座標情報である。つまり、表示画面の左上角を原点（０，０）とした場合における、特徴画像７７６ｂがある位置の水平方向のピクセル数がＰｏｓｉｔｉｏｎ
ｘ２、垂直方向のピクセル数がＰｏｓｉｔｉｏｎ　ｙ２である。
【０１２９】
動き特徴情報＃３（７８９ｃ）は、Ｏｆｆｓｅｔ　Ｔｉｍｅ＃３と、Ｐｏｓｉｔｉｏｎ　ｘ３と、Ｐｏｓｉｔｉｏｎ　ｙ３とを格納している。なお、Ｐｏｓｉｔｉｏｎ　ｘ３およびＰｏｓｉｔｉｏｎ　ｙ３は、特徴画像７７６ｃの位置を表す座標情報である。つまり、表示画面の左上角を原点（０，０）とした場合における、特徴画像７７６ｃがある位置の水平方向のピクセル数がＰｏｓｉｔｉｏｎ
ｘ３、垂直方向のピクセル数がＰｏｓｉｔｉｏｎ　ｙ３である。
【０１３０】
ここでは、動き特徴情報内のデータとして座標情報を管理する管理方法について説明したが、動き特徴情報内のデータとして格納する情報は、これまで図２から図７を用いて説明した矩形情報、円情報、任意形状情報、オブジェクト情報、または関数情報であってもよい。
【０１３１】
また、数フレーム間隔で設定されている動き特徴情報に補間処理を施し、動き特徴情報のないフレームの特徴画像の動き特徴情報を算出することにより、フレームごとに特徴画像に関する座標情報などを予測して、よりスムーズに特徴画像を示すことが可能となる。
【０１３２】
また、動き特徴情報に格納されるＯｆｆｓｅｔ　Ｔｉｍｅは、ユーザーにより設定される。しかしながら、ブックマーク登録時に動き情報を登録する時間範囲を指定するとともに、あらかじめユーザーまたは機器が設定しておいた時間間隔ごとに動き特徴情報を登録してもよい。この場合、登録した時間に対応する動画データのフレームを表示し、特徴画像の座標情報を指定するようにしてもよい。特徴画像を抽出するための情報としてオブジェクト情報や関数情報を動き特徴情報に格納するのであれば、上記の時間間隔と同様に、あらかじめ設定しておいてもよい。
【０１３３】
これにより、特徴画像が動いている場合であっても、特徴画像に対応した動き特徴情報を管理することが可能となる。したがって、動画データを再生した場合に動き特徴情報を用いることで、特徴画像の動きに連動させて、カーソルの表示や、タイトルの表示が可能となる。
【０１３４】
次に、図９を用いて、本発明の実施形態に係る記録再生装置の構成について説明する。本発明の実施形態に係る記録再生装置においては、図９に示すように、オーディオ信号がオーディオ入力部７５０に入力される一方で、ビデオ信号がビデオ入力部７５１に入力される。各信号は、アナログまたはデジタル信号であり、アナログ信号の場合にはデジタル信号に変換される。
【０１３５】
そして、オーディオ入力部７５０およびビデオ入力部７５１からの信号は、符号化／復号処理部７５２により、ＭＰＥＧ２などの符号化されたビデオおよびオーディオデータに変換される。なお、圧縮する形式は、ＭＰＥＧ２のほかにＭＰＥＧ１やＭＰＥＧ４であってもよいし、ビデオデータのみの符号化を行う場合には、ＪＰＥＧ、ＪＰＥＧ２０００であってもよい。
【０１３６】
さらに、符号化／復号処理部７５２から出力される信号は、誤り訂正処理部７５３により誤り訂正信号が付加されるとともに、変調／復調部７５４により変調されて、記録媒体７５５に対してビデオおよびオーディオデータとして記録される。
【０１３７】
また、記録媒体がディスクメディアの場合には、制御マイコン７５７によりサーボ処理部７５６を制御して、ビデオおよびオーディオデータの記録を行う。なお、制御マイコン７５７は、システムマイコン７５８により制御されている。
【０１３８】
一方、ユーザーからの指示により、記録されたデータを再生または表示する場合には、ユーザーからの指示が入力部（位置情報指定手段、第２部分データ指定手段）７６４から入力され、システムマイコン７５８によりユーザーの指示が処理される。
【０１３９】
システムマイコン７５８は、ユーザーからの指示がデータ再生であれば、制御マイコン７５７にデータ再生の指示を行う。制御マイコン７５７は、記録媒体７５５からデータの読み出しを行うように、サーボ処理部７５６を制御する。
【０１４０】
読み出されたデータは、変調／復調部７５４を経て復調され、誤り訂正処理部７５３により誤り訂正が行われ、符号化／復号処理部７５２により復号される。復号されたデータのうちのオーディオデータは、オーディオ出力部７６２によりオーディオ信号に変換され出力される。
【０１４１】
また、復号されたデータのうちのビデオデータは、テキストやグラフィック、ＯＳＤとの合成を行うため、ビデオ合成部（部分データ処理手段）７６１によりビデオデータとビデオデータ以外のデータとの合成処理あるいは切り換え処理が施され、ビデオ出力部７６３によりビデオ信号として出力される。
【０１４２】
また、メモリ７５９に格納されたテキストデータやグラフィックデータを、ＯＳＤ処理部７６０によりビデオ表示用データへ変換した後、復号されたビデオデータと合成するとともに、ビデオ出力部７６３からビデオ信号として出力することにより、図示しないディスプレイ等の表示手段において、合成画面を表示することができる。
【０１４３】
さらに、ビデオ合成部７６１は、記録したビデオデータとテキストデータやグラフィックデータとを同時に表示する場合に、ビデオデータとその他のデータとを合成するものであるが、いずれか一方の画像を出力することもできる。すなわち、ユーザーの指示に基づき、システムマイコン７５８によりビデオ合成部７６１に対して出力画像の切り換え制御を行うことにより、指定された画像を出力することが可能となる。
【０１４４】
また、本実施の形態では、ブックマークを指定した際に記録するタイトル、サムネイルなどのブックマークデータを、ブックマークを指定する動画ファイル内に格納する構成について説明した。しかしながら、必ずしもこの構成に限定されるものではなく、ブックマークデータを動画ファイル以外のファイルに記録し、ブックマークデータを記録したファイルのファイル名をブックマーク管理情報に記録し参照する構成としてもよい。ただし、その場合、ブックマーク指定している動画ファイルを、ＰＣなどの記録媒体以外のデバイスに記録する場合には、ブックマークデータもデバイスにコピーしなければならない。
【０１４５】
また、ブックマークを登録する動画ファイルは、ＱｕｉｃｋＴｉｍｅやＡＳＦ（Ａｄｖａｎｃｅｄ　Ｓｔｒｅａｍｉｎｇ　Ｆｏｒｍａｔ）などの汎用ファイルフォーマットであってもよい。なお、ＱｕｉｃｋＴｉｍｅを動画ファイルのフォーマットとする場合、ブックマーク情報をＴｅｘｔトラックやＶｉｄｅｏトラックとして管理する構成であってもよい。
【０１４６】
また、上記構成による記録媒体は、光ディスク、メモリ、ハードディスクなどの書き込み可能な記録媒体、ＣＤやＤＶＤ−Ｖｉｄｅｏなどのような読み出し専用記録媒体、ＣＤ−ＲやＤＶＤ−Ｒなどのような一回のみ書き込み可能な記録媒体のいずれであってもよい。
【０１４７】
次に、本実施の形態のデータ管理方法、データ表示方法における処理手順を説明する。図１０および図１１は、本実施形態に係るブックマーク管理方法、ブックマーク表示方法における処理手順を示すフローチャートである。
【０１４８】
先ず、動画ファイルにブックマークを付加した際におけるデータ管理情報にブックマーク管理情報を記録する処理手順を、図１０を用いて説明する。
【０１４９】
ユーザーがインデックス画面からブックマークを指定したい動画ファイルを選択すると、動画ファイルが再生される。そして、ブックマークを登録したい画像で一時停止し、ユーザーがブックマーク登録を指示する。
【０１５０】
この時点で、図１０に示すように、ユーザーにより、ブックマークを登録する動画ファイルとブックマーク位置とが指定される（Ｓ４１）。なお、以下の説明ではステップを単にＳと記載する。次に、指定された動画ファイルから、その動画ファイルの管理情報が取得される（Ｓ４２）。
【０１５１】
さらに、指定されたブックマーク位置に基づいて、ブックマークの再生開始からのオフセット時間、または再生する動画データの先頭からのオフセットバイト数を、ブックマーク時間として取得する（Ｓ４３）。その後、取得したブックマーク時間に対応した動画ファイルのフレーム画像を取得する（Ｓ４４）。
【０１５２】
続いて、ブックマーク画像の生成が行われる（Ｓ４５）。このステップでは、動画ファイルのフレーム画像がたとえば７０４×４８０ピクセルのビットマップ画像であった場合に、該ビットマップ画像を１６０×１２０ピクセルの画像とする縮小変換、およびビットマップ画像からＪＰＥＧ画像やＴＩＦＦ画像などの圧縮データへの変換を行っている。なお、ブックマーク画像は縮小した画像に変換しないで、動画ファイルと同じ画像サイズを記録してもよい。
【０１５３】
続いて、動画ファイルにブックマーク画像を付加するために、動画ファイルを読み出し、動画ファイルの管理情報を取得し、動画ファイルの管理情報からトラック数を取得する（Ｓ４６）。そして、後述するＳ４８からＳ５０までのステップにより構成されるループ１を、トラック数と同じ回数だけ実行する（Ｓ４７）。
【０１５４】
ループ１では、１つのトラックの管理情報を取得し（Ｓ４８）、Ｓ４８にて管理情報を取得したトラックが、サムネイルトラックか否かを判別する（Ｓ４９）。ここで、Ｓ４９にてサムネイルトラックであると判断された場合には、ブックマーク画像をサムネイルとして登録する（Ｓ５０）。一方、Ｓ４９にてサムネイルトラックでないと判断された場合には、Ｓ４７に戻り、再びループ１が実行される。
【０１５５】
ループ１の終了（Ｓ５１）後、サムネイルトラックが存在しているか否かを判別し（Ｓ５２）、サムネイルトラックが存在しない場合には、サムネイルトラックを新規に生成する（Ｓ５３）。サムネイルトラックが存在する状態になった段階で、ブックマーク画像をサムネイルとして登録する（Ｓ５４）。
【０１５６】
続いて、ユーザーによる特徴情報の指定があったかを判別し（Ｓ５５）、特徴情報の指定がある場合は、特徴情報をデータ管理情報に登録する（Ｓ５６）。
【０１５７】
最後に動画ファイルの管理情報を更新し（Ｓ５７）、メディアへの記録を行う（Ｓ５８）ことにより、動画ファイルの管理情報にブックマーク情報が記録される。
【０１５８】
なお、上述の手順ではブックマーク登録をユーザー操作により実現しているが、機器が自動的にブックマークを付加することによりブックマーク登録を行うようにしてもよい。
【０１５９】
次に、図１１を用いて、動画ファイルのブックマーク管理情報に基づきブックマーク画像を表示する処理手順を説明する。
【０１６０】
図１１に示すように、先ず、ユーザーにより、表示すべきブックマーク画像に対応するブックマークが指定される（Ｓ６１）。その後、動画ファイルを読み出して、動画ファイルに格納されている管理情報を取得し（Ｓ６２）、管理情報からトラック数を取得し（Ｓ６３）、各トラックに対して、順次、以下のＳ６５からＳ７５までのステップからなるループ１を実行する（Ｓ６４）。
【０１６１】
すなわち、各トラックに対して、管理情報から１つのトラックの情報を取得し（Ｓ６５）、Ｓ６５においてトラック情報を取得したトラックがサムネイルトラックか否かを判別する（Ｓ６６）。ここで、サムネイルトラックでない場合には、次のトラックを検索する。
【０１６２】
一方、Ｓ６５においてトラック情報を取得したトラックがサムネイルトラックの場合には、そのトラックに登録されているブックマークの数を取得し（Ｓ６７）、取得したブックマークの数だけ、順次、後述のＳ６９からＳ７１までのステップにより構成されるループ２を実行する（Ｓ６８）。
【０１６３】
すなわち、動画ファイル内にブックマークが存在するか否かの判別を行い（Ｓ６９）、ブックマークが存在する場合には、ブックマーク画像を取得し（Ｓ７０）、ブックマーク画像を表示する（Ｓ７１）。
【０１６４】
一方、ブックマーク画像が存在しない場合には、次のブックマークを参照する（Ｓ６８〜Ｓ７２）。そして、各ブックマークに対して、ループ２を行うことにより、登録されているブックマークの数だけブックマーク画像を表示することができる。
【０１６５】
さらに、ループ２の終了（Ｓ７２）後、動画ファイル内に特徴情報が存在するか否かを判断する（Ｓ７３）。特徴情報がある場合には、特徴情報を取得するとともに（Ｓ７４）、特徴情報に基づいて特徴画像を特定する（Ｓ７５）。
【０１６６】
このように、Ｓ６５からＳ７５までのステップからなるループ１を、トラック数だけ実行すれば、各トラックについてブックマーク画像を表示することができ、ブックマーク画像に特徴画像がある場合にはその特徴画像を特定することができる。
【０１６７】
このように、本実施の形態のデータ管理方法は、記録媒体に記録された動画データの任意の位置におけるブックマークデータに関するブックマーク管理情報を、記録媒体に記録するための方法であって、ブックマーク画像に含まれる特徴画像のデータに関する特徴情報を、記録媒体に記録する構成である。
【０１６８】
上記構成によれば、記録媒体に記録された動画データについて、ブックマーク管理情報により、ブックマーク画像を管理することができる。さらに、ブックマーク画像内における特徴画像についても、特徴情報に基づき管理することが可能となる。
【０１６９】
たとえば、動画データが運動会を撮影したデータである場合、本実施の形態のデータ管理方法を用いれば、特徴画像としてのユーザーの子供の画像を、特徴情報に基づき管理することができる。したがって、運動会の動画データを遠隔地にいる家族に送付した場合でも、瞬時に表示画像から子供の画像を特定して再生し、子供がどこにいるか簡単に見つけ出すことが可能となる。
【０１７０】
なお、本発明のデータ管理方法は、記録媒体に記録したデータの任意の位置情報を該記録媒体に記録するための管理方法であって、任意の位置情報に対応するデータの任意の部分データを管理する管理情報を記録する方法であってもよい。
【０１７１】
ここで、上記任意の時間に対応するデータの任意の部分データを管理する管理情報は、表示画像データの任意の位置を示す座標情報としてもよい。さらに、上記任意の時間に対応するデータの任意の部分データを管理する管理情報は、表示画像データの任意の範囲を示す矩形情報としてもよい。
【０１７２】
また、上記任意の時間に対応するデータの任意の部分データを管理する管理情報は、表示画像データの任意の範囲を示す円情報としてもよい。また、上記任意の時間に対応するデータの任意の部分データを管理する管理情報は、表示画像データの任意の範囲を示す任意形状情報としてもよい。
【０１７３】
また、上記任意の時間に対応するデータの任意の部分データを管理する管理情報は、画像データを示すオブジェクト情報としてもよい。さらに、上記任意の時間に対応するデータの任意の部分データを管理する管理情報は、表示画像データから領域を抽出する処理関数を示す情報としてもよい。あるいは、上記任意の時間に対応するデータの任意の部分データを管理する管理情報は、任意の時間間隔内における複数の画像データに対応した情報としてもよい。
【０１７４】
また、本発明に係る記録再生装置は、データおよび該データを管理する管理情報を記録媒体に記録するための第１のデータ記録手段と、管理情報を参照し、記録したデータを再生するための第１の再生手段と、記録した任意のデータを再生した際の再生時間から任意の位置情報を指定する位置情報指定手段と、位置情報指定手段により指定された再生時間に対応するデータの部分データを指定する部分データ指定手段と、部分データ指定手段により指定された部分データ情報を記録媒体に格納する第２のデータ記録手段と、記録媒体に記録されている部分データ情報を取得する部分データ取得手段と、位置情報および部分データ情報を参照し、部分データを抽出する部分データ処理手段と、部分データを再生する第２の再生手段とを含む構成であってもよい。
【０１７５】
ここで、上記部分データを抽出する部分データ処理手段が複数存在する記録再生装置において、抽出する部分データは、複数の部分データ処理手段のうち、１つの部分データ処理手段により処理されたデータであってもよい。また、上記部分データを抽出する部分データ処理手段が複数存在する記録再生装置において、抽出する部分データは、複数の部分データ処理手段のうち、少なくとも１つ以上の部分データ処理手段により処理されたデータであってもよい。
【０１７６】
本発明に係る記録媒体は、データの任意の位置情報を記録した記録媒体であって、任意の位置情報に対応するデータの任意の部分データを管理する管理情報を記録する構成であってもよい。
【０１７７】
上記構成によれば、任意の位置情報に対応するデータの任意の部分データをブックマーク情報としてブックマーク管理情報に記録することが可能となり、ブックマーク管理情報を参照することにより、撮影者や撮影した映像を見るユーザーが特に注目させたい画像の部分的な画像を示すことが可能となる。また、ＭＰＥＧ４などのオブジェクトごとに伝送されるデータにおいて、オブジェクト情報をブックマーク情報として管理することによりオブジェクト単位の特徴部分を示すことが可能となる。
【０１７８】
また、時間軸をもつ動画像の任意の時間間隔をブックマークとして登録し、その時間間隔内のフレーム画像の特徴部分をブックマーク情報として管理することで、動画像に対応した特徴部分をユーザーに示すことが可能となる。
【０１７９】
【発明の効果】
本発明のデータ管理方法は、以上のように、第１部分データに含まれる第２部分データに関する第２管理情報を、記録媒体に記録する方法である。
【０１８０】
上記構成によれば、記録媒体に記録された第１部分データについて、第１管理情報により、その記録位置を管理することができる。さらに、第１部分データ内における第２部分データについても、第２管理情報に基づき管理することが可能となる。
【０１８１】
このように、第１管理情報および第２管理情報に基づき、記録媒体に記録されたデータを２段階に細分化したデータの管理が可能となる。したがって、記録媒体に記録されたデータをより詳細に管理することが可能となるという効果を奏する。
【０１８２】
また、本発明のデータ管理方法は、以上のように、上記構成のデータ管理方法において、上記第２管理情報が、上記第１部分データに基づき表示される画像に対する、上記第２部分データに基づき表示される画像の座標を示す座標情報である構成である。
【０１８３】
上記構成によれば、第２部分データに基づき表示される画像の位置を、座標情報により特定することが可能となる。したがって、第１部分データに基づき表示される画像から、第２部分データに基づき表示される画像の位置をユーザーに知らせることが可能となるという効果を奏する。
【０１８４】
また、本発明のデータ管理方法は、以上のように、上記構成のデータ管理方法において、上記第２管理情報が、上記第１部分データに基づき表示される画像に、上記第２部分データに基づき表示される画像を含むような矩形を設定するための矩形情報である構成である。
【０１８５】
上記構成によれば、上記矩形により、第２部分データに基づき表示される画像を特定することが可能となる。したがって、第１部分データに基づき表示される画像から、第２部分データに基づき表示される画像のみを容易に抽出することが可能となるという効果を奏する。
【０１８６】
また、本発明のデータ管理方法は、以上のように、上記構成のデータ管理方法において、上記第２管理情報が、上記第１部分データに基づき表示される画像に、上記第２部分データに基づき表示される画像を含むような円を設定するための円情報である構成である。
【０１８７】
上記構成によれば、上記円により、第２部分データに基づき表示される画像を特定することが可能となる。したがって、第１部分データに基づき表示される画像から、第２部分データに基づき表示される画像のみを容易に抽出することが可能となるという効果を奏する。
【０１８８】
また、本発明のデータ管理方法は、以上のように、上記構成のデータ管理方法において、上記第２管理情報が、上記第１部分データに基づき表示される画像に、上記第２部分データに基づき表示される画像を含むような多角形を設定するための任意形状情報である構成である。
【０１８９】
上記構成によれば、上記多角形により、第２部分データに基づき表示される画像を特定することが可能となる。したがって、第１部分データに基づき表示される画像から、第２部分データに基づき表示される画像のみを容易に抽出することが可能となるという効果を奏する。
【０１９０】
また、本発明のデータ管理方法は、以上のように、上記構成のデータ管理方法において、上記記録媒体に記録されているデータが、動画をオブジェクト単位にて管理可能なデータであるとともに、上記第２管理情報は、上記第２部分データに基づき表示される画像を構成するオブジェクトを識別するためのオブジェクト情報である構成である。
【０１９１】
上記構成によれば、上記オブジェクト情報により、第２部分データに基づき表示される画像を構成するオブジェクトを特定することが可能となる。したがって、第１部分データに基づき表示される画像から、第２部分データに基づき表示される画像のみを容易に抽出することが可能となるという効果を奏する。
【０１９２】
また、本発明のデータ管理方法は、以上のように、上記構成のデータ管理方法において、上記第２管理情報が、上記第１部分データに基づき表示される画像から、上記第２部分データに基づき表示される画像を抽出するための処理関数を示す関数情報である構成である。
【０１９３】
上記構成によれば、上記関数情報により、第２部分データに基づき表示される画像を抽出するための処理関数を特定することが可能となる。したがって、上記処理関数を実行し、第１部分データに基づき表示される画像から、第２部分データに基づき表示される画像のみを容易に抽出することが可能となるという効果を奏する。
【０１９４】
また、本発明のデータ管理方法は、以上のように、上記構成のデータ管理方法において、上記第２管理情報が、上記第１部分データに基づき表示される画像において、上記第２部分データに基づき表示される画像が移動する状態を示す動き情報である構成である。
【０１９５】
上記構成によれば、上記動き情報により、第２部分データに基づき表示される画像の移動状態を特定することが可能となる。したがって、第２部分データに表示される画像が第１部分データに基づき表示される画像内を移動している場合であっても、第１部分データに基づき表示される画像から、第２部分データに基づき表示される画像のみを容易に抽出することが可能となるという効果を奏する。
【０１９６】
また、本発明のデータ管理方法は、以上のように、上記構成のデータ管理方法において、上記動き情報が、上記第１部分データに基づき表示される画像に対する、上記第２部分データに基づき表示される画像の座標を、時系列で示す情報である構成である。
【０１９７】
上記構成によれば、上記動き情報により、第２部分データに基づき表示される画像の座標を時系列で特定することができる。したがって、第２部分データに表示される画像が第１部分データに基づき表示される画像内を移動している場合であっても、第１部分データに基づき表示される画像から、第２部分データに基づき表示される画像のみをより容易に抽出することが可能となるという効果を奏する。
【０１９８】
また、本発明のデータ表示方法は、以上のように、記録媒体に記録された第１部分データの記録位置を指定するステップと、上記第１部分データに含まれる第２部分データを指定するステップと、上記第１部分データの上記記録媒体における記録位置に関する第１管理情報と、上記第２部分データに関する上記第２管理情報とを参照し、第２部分データを抽出するステップと、上記第２部分データの再生画像を表示するステップとを備えている構成である。
【０１９９】
上記構成によれば、ユーザーにより第１部分データの記録位置および第２部分データが指定されるとともに、指定された第１部分データの第１管理情報と、第２部分データの第２管理情報とから、第２部分データが抽出され、さらに、第２部分データの再生画像が表示される。
【０２００】
このように、第１管理情報および第２管理情報に基づき、記録媒体に記録されたデータを２段階に細分化したデータの表示が可能となる。したがって、記録媒体に記録されたデータをより詳細にユーザーに提示することが可能となるという効果を奏する。
【０２０１】
また、本発明の記録再生装置は、以上のように、記録媒体に記録された第１部分データの記録位置を指定する位置情報指定手段と、上記第１部分データに含まれる第２部分データを指定する第２部分データ指定手段と、上記第１部分データの上記記録媒体における記録位置に関する第１管理情報と、上記第２部分データに関する上記第２管理情報とを参照し、第２部分データを抽出する部分データ処理手段と、上記第２部分データの再生画像を表示する表示手段とを備えている構成である。
【０２０２】
上記構成によれば、ユーザーは、位置情報指定手段と第２部分データ指定手段とにより、第１部分データおよび第２部分データを指定することができる。さらに、第１部分データの第１管理情報と、第２部分データの第２管理情報とから、部分データ処理手段により第２部分データが抽出され、さらに、表示手段により第２部分データの再生画像が表示される。
【０２０３】
このように、第１管理情報および第２管理情報に基づき、記録媒体に記録されたデータを２段階に細分化したデータの表示が可能となる。したがって、記録媒体に記録されたデータをより詳細にユーザーに提示することが可能となるという効果を奏する。
【０２０４】
また、本発明の記録再生装置は、以上のように、上記構成の記録再生装置において、上記部分データ処理手段が、上記第１部分データに基づき表示される画像から上記第２部分データに基づき表示される画像を抽出するための複数の処理関数のうち、少なくとも１つの処理関数を実行するものである。
【０２０５】
上記構成によれば、部分データ処理手段にて処理関数が実行されるので、第１部分データに基づき表示される画像から、第２部分データに基づき表示される画像のみを容易に抽出することが可能となるという効果を奏する。
【０２０６】
また、本発明のコンピュータ読み取り可能な記録媒体は、以上のように、任意位置に記録される第１部分データの記録位置に関する第１管理情報と、上記第１部分データに含まれる第２部分データに関する第２管理情報とを記録している構成である。
【０２０７】
上記構成によれば、第１部分データについて、第１管理情報によりその記録位置を管理することができる。さらに、第１部分データ内における第２部分データについても、第２管理情報に基づき管理することが可能となる。
【０２０８】
このように、第１管理情報および第２管理情報に基づき、記録媒体に記録されたデータを２段階に細分化したデータの管理が可能となる。したがって、記録媒体に記録されたデータをより詳細に管理することが可能となるという効果を奏する。
【図面の簡単な説明】
【図１】本発明の一実施形態に係る記録媒体のデータ構造を示す模式図である。
【図２】ブックマーク登録した画像の特徴情報が座標情報である場合の動画データ、ブックマークデータ、および特徴情報の時間関係と、特徴情報の管理構造とを示す図である。
【図３】ブックマーク登録した画像の特徴情報が矩形範囲情報である場合の動画データ、ブックマークデータ、および特徴情報の時間関係と、特徴情報の管理構造とを示す図である。
【図４】ブックマーク登録した画像の特徴情報が円情報である場合の動画データ、ブックマークデータ、および特徴情報の時間関係と、特徴情報の管理構造とを示す図である。
【図５】ブックマーク登録した画像の特徴情報が任意形状情報である場合の動画データ、ブックマークデータ、および特徴情報の時間関係と、特徴情報の管理構造とを示す図である。
【図６】ブックマーク登録した画像の特徴情報がオブジェクト情報である場合の動画データ、ブックマークデータ、および特徴情報の時間関係と、特徴情報の管理構造とを示す図である。
【図７】ブックマーク登録した画像の特徴情報が関数情報である場合の動画データ、ブックマークデータ、および特徴情報の時間関係と、特徴情報の管理構造とを示す図である。
【図８】ブックマーク登録した画像の特徴情報が移動する場合の動画データ、ブックマークデータ、および特徴情報の時間関係と、特徴情報の管理構造とを示す図である。
【図９】本発明の一実施形態に係る記録再生装置の構成を示すブロック図である。
【図１０】動画ファイルのブックマーク管理情報への登録手順を示すフローチャートである。
【図１１】動画ファイルのブックマーク管理情報によるブックマークの表示手順を示すフローチャートである。
【図１２】従来の記録媒体のデータ構造を示す模式図である。
【符号の説明】
７１５　　ブックマーク管理情報（第１管理情報）
７２０　　ブックマークデータ（第１部分データ）
７３０　　特徴情報（第２管理情報）
７３１　　特徴情報（第２管理情報）
７３２　　特徴情報（第２管理情報）
７６１　　ビデオ合成部（部分データ処理手段）
７６４　　入力部（位置情報指定手段、第２部分データ指定手段）
【図１】
2004127369.tif 000003
【図２】
2004127369.tif 000004
【図３】
2004127369.tif 000005
【図４】
2004127369.tif 000006
【図５】
2004127369.tif 000007
【図６】
2004127369.tif 000008
【図７】
2004127369.tif 000009
【図８】
2004127369.tif 000010
【図９】
2004127369.tif 000011
【図１０】
2004127369.tif 000012
【図１１】
2004127369.tif 000013
【図１２】
2004127369.tif 000014